(57)【特許請求の範囲】
【請求項１】
キャリアアグリケーションを実行できる装置（２０）のための方法において、
異なるサービングセルに対して少なくとも２つの異なる時分割デュープレックス構成を受信する（５０）段階と、
サービングセルからの不連続受信に関連した少なくとも１つのタイマー機能を、既定のカウントルールによる前記受信した少なくとも２つの異なる構成のサブフレームのカウント（５１）に基づいて動作する（５２）段階と、
を含む方法。
【請求項２】
キャリアアグリケーションを実行できる装置（３０）により通信をコントロールするための方法において、
サービングセルから装置へ少なくとも２つの異なる時分割デュープレックス構成を送信する段階であって、少なくとも２つの異なる構成のサブフレームが、既定のカウントルールにより少なくとも１つのタイマー機能を動作するためにカウントされる段階と、
前記既定のカウントルールに基づき装置とのサービングセルによる不連続通信をコントロールする段階と、
を含む方法。
【請求項３】
サービングセルの一次セルの時分割デュープレクス構成を、サブフレームをカウントする基礎として使用する段階を含む、請求項１又は２に記載の方法。
【請求項４】
サービングセルからの構成におけるダウンリンクサブフレームのインスタンスを、タイミングのためのサブフレームとしてカウントする段階を更に含む、請求項１又は２に記載の方法。
【請求項５】
別のセルによりクロススケジューリングされる二次セルによるダウンリンクサブフレームは、タイミングのためのサブフレームとしてカウントされない、請求項１から４のいずれかに記載の方法。
【請求項６】
ダウンリンクサブフレーム、及びダウンリンクパイロットサブフレームを含むサブフレームを、タイミングのためにカウントすることを更に含む、請求項１から５のいずれかに記載の方法。
【請求項７】
前記タイマー機能は、インアクティビティタイマー、再送信タイマー、及びオン期間タイマーの少なくとも１つを含む、請求項１から６のいずれかに記載の方法。
【請求項８】
キャリアアグリケーションが可能である装置（２０）であって、少なくとも１つのプロセッサ（２３）と、コンピュータプログラムコードを含む少なくとも１つのメモリ（２４）とを備え、
その少なくとも１つのメモリ（２４）及びコンピュータプログラムコードは、少なくとも１つのプロセッサとで、
異なるサービングセル（２３）に対する少なくとも２つの異なる時分割デュープレックス構成の受信を促進し（５０）、そして
サービングセルからの不連続受信に関連した少なくとも１つのタイマー機能を、既定のカウントルールによる前記受信した少なくとも２つの異なる構成のサブフレームのカウント（５１）に基づいて動作する（５２）、
ように構成された装置。
【請求項９】
キャリアアグリケーションをコントロールするための装置において、少なくとも１つのプロセッサ（３２，３３）と、コンピュータプログラムコードを含む少なくとも１つのメモリ（３１）とを備え、その少なくとも１つのメモリ（３１）及びコンピュータプログラムコードは、少なくとも１つのプロセッサ（３２，３３）とで、
サービングセルにより装置へ少なくとも２つの異なる時分割デュープレックス構成を送信し、少なくとも２つの異なる構成のサブフレームは、既定のカウントルールにより少なくとも１つのタイマー機能を動作するためにカウントされ、そして
既定のカウントルールに基づき装置とのサービングセルによる不連続通信をコントロールする、
ように構成された装置（３０）。
【請求項１０】
サービングセルの一次セルの時分割デュープレックス構成を、サブフレームをカウントする基礎として使用するように構成された請求項８又は９に記載の装置。
【請求項１１】
サービングセルからの構成におけるダウンリンクサブフレームのインスタンスを、タイミングのためのサブフレームとしてカウントするように構成された、請求項８又は９に記載の装置。
【請求項１２】
別のセルによってクロススケジュールされた二次セルによるダウンリンクサブフレームを、タイミングのためのサブフレームとして無視するように構成された、請求項８から１１のいずれかに記載の装置。
【請求項１３】
パイロットサブフレーム及びダウンリンクサブフレームをタイミングのためにカウントするように構成された、請求項８から１２のいずれかに記載の装置。
【請求項１４】
前記タイマー機能は、インアクティビティタイマー、再送信タイマー、及びオン期間タイマーの少なくとも１つを含む、請求項８から１３のいずれかに記載の装置。
【請求項１５】
プログラムがデータ処理装置で実行されるときに前記データ処理装置に
異なるサービングセルに対して少なくとも２つの異なる時分割デュープレックス構成を受信する（５０）段階と、
サービングセルからの不連続受信に関連した少なくとも１つのタイマー機能を、既定のカウントルールによる前記受信した少なくとも２つの異なる構成のサブフレームのカウント（５１）に基づいて動作する（５２）段階と、を遂行するようにされたプログラムコード手段を含むコンピュータプログラム。
【発明の詳細な説明】
【技術分野】
【０００１】
本発明は、キャリアアグリゲーションに関するもので、より詳細には、通信システムにおけるキャリアアグリゲーションのための不連続受信（ＤＲＸ）のタイミングに関する。
【背景技術】
【０００２】
通信システムは、通信装置間にキャリアを送ることにより、ユーザターミナル、マシン状ターミナル、ベースステーション、及び／又は他のノードのような２つ以上の装置間で通信を可能にするファシリティと考えられる。通信システムは、例えば、通信ネットワーク及び１つ以上の互換性のある通信装置により設けることができる。通信は、例えば、音声、電子メール（ｅ−メール）、テキストメッセージ、マルチメディア、及び／又はコンテンツデータ、等の通信を搬送するためのデータの通信を含む。提供されるサービスは、これに限定されないが、例えば、二方向又は多方向コール、データ通信又はマルチメディアサービス、及びインターネットのようなデータネットワークシステムへのアクセスを含む。
【０００３】
ワイヤレスシステムでは、少なくとも２つのステーション間の通信の少なくとも一部分がワイヤレスインターフェイスを経て行われる。ワイヤレスシステムは、例えば、公衆地上移動ネットワーク（ＰＬＭＮ）、衛星ベースの通信システム、及び異なるワイヤレスローカルネットワーク、例えば、ワイヤレスローカルエリアネットワーク（ＷＬＡＮ）を含む。ワイヤレスシステムは、典型的に、セルへ分割され、それ故、セルラーシステムと称される。ユーザは、適当な通信装置又はターミナルによって通信システムにアクセスすることができる。ユーザの通信装置は、しばしば、ユーザ装置（ＵＥ）とも称される。通信装置には、通信を可能にし、例えば、通信ネットワークへのアクセス、又は他のユーザとの直接的な通信を可能にする適当な信号受信及び送信装置が設けられる。通信装置は、ステーション、例えば、セルのベースステーションによって与えられるキャリアにアクセスし、そしてそのキャリアにおいて通信を送信及び／又は受信する。
【０００４】
通信システム及びその関連装置は、典型的に、システムに関連した種々のエンティティが何を行うことが許され且つどのように達成すべきか規定する所与の規格又は仕様に基づいて動作する。接続に使用すべき通信プロトコル及び／又はパラメータも、典型的に、定義される。規格化された無線アクセス技術は、例えば、ＧＳＭ（登録商標）（移動用のグローバルシステム）、ＥＤＧＥ（ＧＳＭ（登録商標）進化のためのエンハンストデータ）無線アクセスネットワーク（ＧＥＲＡＮ）、ユニバーサル地上無線アクセスネットワーク（ＵＴＲＡＮ）及び進化型ＵＴＲＡＮ（Ｅ−ＵＴＲＡＮ）を含む。規格化された通信システムアーキテクチャーは、例えば、ユニバーサル移動テレコミュニケーションシステム（ＵＭＴＳ）無線アクセス技術の長期進化（ＬＴＥ）である。ＬＴＥは、第３世代パートナーシッププロジェクト（３ＧＰＰ）により規格化されつつある。ＬＴＥは、進化型ユニバーサル地上無線アクセスネットワーク（Ｅ−ＵＴＲＡＮ）アクセスを使用する。３ＧＰＰ仕様の種々の開発段階を、リリースと称する。ＬＴＥの更なる開発は、ＬＴＥアドバンスト（ＬＴＥ−Ａ）とも称される。
【０００５】
ＬＴＥの特徴は、キャリアアグリゲーションを提供できることである。キャリアアグリゲーションでは、帯域巾を増加するために複数のキャリアが統合される。従って、２つ以上のコンポーネントキャリア（ＣＣ）を統合して、より広い送信帯域巾及び／又はスペクトルアグリゲーションをサポートすることができる。５つの２０ＭＨｚコンポーネントキャリアを統合して１００ＭＨｚまでのキャリアを与えるキャリアアグリゲーションの一例が図１に示されている。キャリアアグリゲーションを使用して、性能を向上させることができる。キャリアアグリゲーション（ＣＡ）では、同じｅＮＢから発信するが、おそらくアップリンク（ＵＬ）及びダウンリンク（ＤＬ）において異なる帯域巾の、異なる数のＣＣを統合するようにユーザ装置（ＵＥ）を構成することができる。又、異なるベースステーション及びセルによりコンポーネントキャリアをサポートして統合キャリアを発生するようにユーザ装置を構成することもできる。
【０００６】
３ＧＰＰは、ユーザ装置（ＵＥ）特有の一次セル（ＰＣｅｌｌ）及び二次セル（ＳＣｅｌｌ）の概念を定義している。一次コンポーネントキャリアは、一次セル（ＰＣｅｌｌ）により与えられ、ユーザ装置は、無線リソースコントロール（ＲＲＣ）接続確立を遂行し、従って、セルがリンクを支配するときに予知される。従って、通信装置により使用するように構成された複数のサービングコンポーネントキャリアの１つが、セキュリティ、非アクセス階層（ＮＡＳ）移動及び物理的なアップリンクコントロールチャンネル（ＰＵＣＣＨ）の送信のようなオペレーションに選択的に使用される。通信装置により使用するように構成された他のコンポーネントキャリアは、二次セル又はＳＣｅｌｌとして知られている。二次セルは、現在キャリアアグリゲーション（ＣＡ）スキームに基づき他の帯域から一次キャリアに追加することができる。
【０００７】
ワイヤレスシステムの特徴は、例えば、３ＧＰＰ規格の長期進化（ＬＴＥ）においてサポートされる不連続受信（ＤＲＸ）モードである。ＤＲＸは、典型的に、装置のバッテリ電力を保存し、ワイヤレスリソースを節約し、そして全体的なシステム容量を増加するのに使用される。ＤＲＸサイクルの一例が図２に示されている。図示されたように、サイクルは、アクティブな期間（オン期間）及び非アクティブな期間（ＤＲＸの機会）を含む。通信装置は、アクティブな期間中にコントロールチャンネルについて監視しなければならない。
【０００８】
ＤＲＸ動作では、例えば、インアクティブな期間、再送信、及び／又はアクティビティ期間、等をコントロールするために、種々のタイマーが設けられる。タイマーは、物理的なダウンリンクコントロールチャンネル（ＰＤＣＣＨ）を監視するためにユーザ装置のアクティブな時間中維持される。タイマー機能のためにサブフレームの数がカウントされる。Ｅ−ＵＴＲＡＮ時分割デュープレクス（ＴＤＤ）では、タイマーに対してＰＤＣＣＨサブフレーム、典型的に、ＤＬ及びダウンリンクパイロットタイムスロット（ＤｗＰＴＳ）サブフレームのみをカウントすればよい。例えば、所与の装置の初期ＵＬ又はＤＬユーザデータ送信を指示するＰＤＣＣＨを首尾良くデコードした後に連続的なＰＤＣＣＨサブフレームの数を指定するのにＤＲＸインアクティビティタイマーが使用される。
【０００９】
キャリアアグリゲーション（ＣＡ）では、全てのサービングセルに同じＤＲＸ構成及びオペレーションが適用されるように共通のＤＲＸが３ＧＰＰにおいて合意される。全てのコンポーネントキャリアの中で共通のＵＬ／ＤＬ  ＴＤＤ構成がリリース１０についてサポートされる。リリース１１は、共通のＤＲＸスキームで異なる帯域にＣＣ／セル特有のＵＬ／ＤＬ構成を導入する。
【００１０】
図３は、ＰＣｅｌｌとＳＣｅｌｌとの間の異なるＴＤＤ構成の一例を示す。明らかなように、ＰＣｅｌｌのサブフレームは、ダウンリンクのためのものであり、一方、ＳＣｅｌｌのサブフレームは、アップリンクのためのものであり、或いはその逆のことも言える。サブフレーム＃３、＃４、＃８及び＃９を参照されたい。セル特有のＵＬ／ＤＬ  ＴＤＤ構成に鑑み、共通のＤＲＸが機能することを保証するメカニズムが必要である。例えば、セルのアップリンクについて構成されたサブフレームを、別のセルに対してダウンリンク構成が使用される間に、ＰＤＣＣＨサブフレームとしてカウントすべきかどうかの共通の理解をベースステーション及び通信装置が有することを保証するためのメカニズムが必要とされる。
【００１１】
上述した問題は、特定の通信環境に限定されず、キャリアアグリケーションが提供されるどの適当な通信システムにも生じ得ることに注意されたい。
【発明の概要】
【発明が解決しようとする課題】
【００１２】
本発明の実施形態は、上述した問題の１つ又は幾つかに対処することに向けられる。
【課題を解決するための手段】
【００１３】
一実施形態によれば、キャリアアグリケーションを実行できる装置のための方法において、異なるサービングセルに対して少なくとも２つの異なる時分割デュープレックス構成を受信し、そしてサービングセルからの不連続受信に関連した少なくとも１つのタイマー機能を、既定のカウントルールによる前記受信した少なくとも２つの異なる構成のサブフレームのカウントに基づいて動作することを含む方法が提供される。
【００１４】
一実施形態によれば、キャリアアグリケーションを実行できる装置により通信をコントロールするための方法において、サービングセルから装置へ少なくとも２つの異なる時分割デュープレックス構成を送信し、少なくとも２つの異なる構成のサブフレームは、既定のカウントルールにより少なくとも１つのタイマー機能を動作するためにカウントされ、そして既定のカウントルールに基づき装置とのサービングセルによる不連続通信をコントロールすることを含む方法が提供される。
【００１５】
一実施形態によれば、キャリアアグリケーションをコントロールするための装置において、少なくとも１つのプロセッサと、コンピュータプログラムコードを含む少なくとも１つのメモリとを備え、その少なくとも１つのメモリ及びコンピュータプログラムコードは、少なくとも１つのプロセッサとで、異なるサービングセルに対する少なくとも２つの異なる時分割デュープレックス構成の受信を促進し、そしてサービングセルからの不連続受信に関連した少なくとも１つのタイマー機能を、既定のカウントルールによる前記受信した少なくとも２つの異なる構成のサブフレームのカウントに基づいて動作するように構成された装置が提供される。
【００１６】
更に別の実施形態によれば、キャリアアグリケーションをコントロールするための装置において、少なくとも１つのプロセッサと、コンピュータプログラムコードを含む少なくとも１つのメモリとを備え、その少なくとも１つのメモリ及びコンピュータプログラムコードは、少なくとも１つのプロセッサとで、サービングセルにより装置へ少なくとも２つの異なる時分割デュープレックス構成を送信し、少なくとも２つの異なる構成のサブフレームは、既定のカウントルールにより少なくとも１つのタイマー機能を動作するためにカウントされ、そして既定のカウントルールに基づき装置とのサービングセルによる不連続通信をコントロールするように構成された装置が提供される。
【００１７】
より詳細な実施形態によれば、サービングセルの一次セルの時分割デュープレックス構成は、サブフレームをカウントする基礎として使用される。
【００１８】
別の実施形態によれば、ほとんどのダウンリンクサブフレームをその構成にもつサービングセルが決定され、その決定されたサービングセルの構成は、サブフレームをカウントする基礎として使用される。
【００１９】
一実施形態によれば、サービングセルからの構成におけるダウンリンクサブフレームのインスタンスは、タイミングのためのサブフレームとしてカウントされる。
【００２０】
一実施形態によれば、受信された全ての構成にダウンリンクサブフレームが存在するサブフレームだけがタイミングのためのサブフレームとしてカウントされる。
【００２１】
別のセルによってクロススケジュールされた二次セルによるダウンリンクサブフレームは、タイミングのためのサブフレームとしてカウントされない。
【００２２】
装置の不連続受信アクティブ時間は、カウントに基づいてコントロールされる。
【００２３】
タイミングのためにカウントされるサブフレームは、ダウンリンクパイロットタイムスロット及びダウンリンクサブフレームを含む。
【００２４】
タイマー機能は、インアクティビティタイマー、再送信タイマー、及びオン期間タイマーの少なくとも１つを含む。
【００２５】
前記実施形態の少なくとも１つをなすように構成された装置を備えたデバイス及び／又はアクセスノード及び／又はコンピューティング装置も提供される。デバイスは、ワイヤレス通信を実行できるユーザ装置又は別のノードのような通信デバイスを含む。アクセスノードは、ベースステーション、デバイス・対・デバイスノード、又はリレーノードを含む。
【００２６】
ここに述べる方法を遂行するためのプログラムコード手段を備えたコンピュータプログラムも提供される。更に別の実施形態によれば、前記方法の少なくとも１つを実行するためのコンピュータ読み取り可能な媒体で実施されるコンピュータプログラム製品及び／又は装置が提供される。
【００２７】
本発明を実施する例の以下の詳細な説明及び特許請求の範囲では種々の他の観点及び更に別の実施形態も説明する。
【００２８】
本発明は、添付図面を参照して一例として以下に詳細に説明する。
【図面の簡単な説明】
【００２９】
【図１】キャリアアグリケーションの一例を示す。
【図２】ＤＲＸサイクルの一例を示す。
【図３】異なるセルに対する異なるＴＤＤ構成の一例を示す。
【図４】本発明が実施されるシステムの一例を概略的に示す。
【図５】通信装置の一例を示す。
【図６】コントロール装置の一例を示す。
【図７】一実施形態によるフローチャートである。
【発明を実施するための形態】
【００３０】
以下、ワイヤレス通信のためのワイヤレス通信システムサービング装置を参照して幾つかの実施形態を説明する。それ故、規範的な実施形態を詳細に説明する前に、ここに述べる実施例の理解を助けるために、図４のシステム１０、図５の装置２０及び図６のコントロール装置３０を参照して、ワイヤレスシステム、そのコンポーネント、及びワイヤレス通信装置の幾つかの一般的な原理を簡単に説明する。
【００３１】
通信装置は、通信システムを経て提供される種々のサービス及び／又はアプリケーションにアクセスするために使用される。ワイヤレス通信システムでは、ワイヤレス通信装置と適当なアクセスシステムとの間のワイヤレスアクセスインターフェイスを経てアクセスが与えられる。装置は、ベースステーションを経て通信システムにワイヤレスでアクセスする。ベースステーションサイトは、セルラーシステムの１つ以上のセルを提供する。図１の例では、ベースステーション１２は、異なるキャリアにおいて３つのセル１、２及び３を与えるように示されている。上述したように、キャリアアグリケーションでは、サービングセルの１つが一次セル（ＰＣｅｌｌ）であり、他のサービングセルが二次セル（ＳＣｅｌｌ）である。各移動装置２０及びベースステーションは、同時にオープンする１つ以上の無線チャンネルを有し、２つ以上のソースから信号を受信する。
【００３２】
図４のサービングセル１から３の少なくとも１つは、ベースステーション１２のリモート無線ヘッドにより形成されることに注意されたい。又、キャリアの少なくとも１つは、ベースステーション１２に共通配置されていないが他のセルと同じコントロール装置でなければコントロールできないステーションによって提供される。この可能性が図１にステーション１１により示されている。例えば、コントロール装置１３は、少なくとも１つの更に別のステーション、例えば、サイト内ｅＮＢをコントロールするのに使用される。例えば、ステーションがサイト間ｅＮＢとして設けられる場合も、異なるステーション及び／又はそのコントローラ間の相互作用が構成される。本開示を理解するためには、セルのコントローラが全ての統合されたキャリア（セル）に対して充分な情報を有すると仮定すれば充分である。複数のキャリアより成る統合されたキャリアの例が図１に示され、そして２つのサービングセルに対するサブフレーム構成の例が図３に示されている。
【００３３】
ベースステーションは、典型的に、その動作を行えると共に、ベースステーションとの通信中に移動通信装置の管理を行えるように、少なくとも１つの適当なコントローラによりコントロールされる。コントロールエンティティは、他のコントロールエンティティと相互接続される。図４において、そのようなコントロール装置は、ブロック１３で与えられるように示されている。適当なコントロール装置は、少なくとも１つのメモリ、少なくとも１つのデータ処理ユニット、及び入力／出力インターフェイスを含む。従って、コントロール装置には、典型的に、メモリ容量と、少なくとも１つのデータプロセッサ１４とが設けられる。複数のコントローラユニット間にコントロール機能が分配されることを理解されたい。ベースステーションのためのコントローラ装置は、以下に詳細に述べるコントロール機能を与えるために適当なソフトウェアコードを与えるように構成される。
【００３４】
図４において、ベースステーションノード１２は、適当なゲートウェイ１５を経てデータネットワーク１８へ接続される。アクセスシステムと、パケットデータネットワークのような別のネットワークとの間のゲートウェイ機能は、適当なゲートウェイノード、例えば、パケットデータゲートウェイ及び／又はアクセスゲートウェイによって与えられる。従って、通信システムは、１つ以上の相互接続ネットワーク及びその要素によって形成され、そして種々のネットワークを相互接続するために１つ以上のゲートウェイノードが設けられる。
【００３５】
通信装置は、コード分割多重アクセス（ＣＤＭＡ）、又はワイドバンドＣＤＭＡ（ＷＣＤＭＡ（登録商標））のような種々のアクセス技術に基づいて通信システムにアクセスすることができる。後者の技術は、第３世代パートナーシッププロジェクト（３ＧＰＰ）仕様に基づいて通信システムにより使用される。ここに述べる原理が適用される移動アーキテクチャーの非限定例は、進化型ユニバーサル地上無線アクセスネットワーク（Ｅ−ＵＴＲＡＮ）として知られている。セルラーシステムのベースステーションの非限定例は、３ＧＰＰ仕様の用語でＮｏｄｅＢ又はエンハンストＮｏｄｅＢ（ｅＮＢ）と称されるものである。ｅＮＢは、ユーザプレーン無線リンクコントロール／メディアアクセスコントロール／物理的レイヤプロトコル（ＲＬＣ／ＭＡＣ／ＰＨＹ）、及び移動通信装置に向かうコントロールプレーン無線リソースコントロール（ＲＲＣ）プロトコルターミネーションのようなＥ−ＵＴＲＡＮ特徴を与える。
【００３６】
図５は、ユーザが通信に使用できる通信装置２０の概略部分断面図である。そのような通信装置は、しばしば、ユーザ装置（ＵＥ）又はターミナルと称される。適当な通信装置は、無線信号を送信及び受信できる装置によって与えられる。その非限定例として、移動電話や、「スマートホン」として知られているものや、ワイヤレスインターフェイスカード又は他のワイヤレスインターフェイスファシリティが設けられたポータブルコンピュータや、ワイヤレス通信能力が設けられたパーソナルデータアシスタント（ＰＤＡ）や、それらの組み合わせ、等の移動ステーション（ＭＳ）が含まれる。移動通信装置は、通信を搬送するデータ、例えば、音声、電子メール（ｅ−メール）、テキストメッセージ、マルチメディア、ポジショニングデータ、他のデータ、等の通信を行う。従って、ユーザは、それらの通信装置を経て多数のサービスが提供されオファーされる。これらサービスの非限定例は、両方向又は多方向コール、データ通信又はマルチメディアサービス、或いは単にインターネットのようなデータ通信ネットワークシステムへのアクセスを含む。
【００３７】
移動装置には、典型的に、キャリアアグリケーションへのアクセス及びそれを通しての通信のコントロールを含めて、遂行するよう設計されたタスクを実行する上で助けとなるソフトウェア及びハードウェアに使用するための少なくとも１つのデータ処理エンティティ２３、少なくとも１つのメモリ２４、及び他の考えられるコンポーネント２９が設けられる。データ処理、記憶及び他の当該コントロール装置は、適当な回路板及び／又はチップセットに設けられる。この装置は、参照番号２６で示されている。装置２６は、少なくとも１つのタイマー機能２９を含む。例えば、ＤＲＸ動作に関連して、インアクティビティ期間（例えば、ｄｒｘ−ＩｎａｃｔｉｖｉｔｙＴｉｍｅｒ）、再送信（例えば、ｄｒｘ−ＲｅｔｒａｎｓｍｉｓｓｉｏｎＴｉｍｅｒ）、アクティビティ期間（例えば、ｏｎＤｕｒａｔｉｏｎＴｉｍｅｒ）、等をコントロールするために、タイマー機能２９によりタイマーが設けられる。タイマー（１つ又は複数）は、図２に示す物理的ダウンリンクコントロールチャンネル（ＰＤＣＣＨ）のようなコントロールチャンネルをユーザ装置が監視するためのアクティブな時間中タイマーが維持されるように、動作される。
【００３８】
ユーザは、キーパッド２２、ボイスコマンド、タッチ感知スクリーン又はパッド、その組み合わせ、等の適当なユーザインターフェイスにより、装置２０の動作をコントロールする。典型的に、ディスプレイ２５、スピーカ及びマイクロホンも設けられる。更に、移動通信装置は、他の装置への、及び／又は例えば、ハンズフリー装置のような外部アクセサリを接続するための、適当なコネクタ（ワイヤード又はワイヤレス）を含む。
【００３９】
装置２０は、信号を送受信するための適当な装置を経て信号２８を送受信する。図２において、トランシーバ装置がブロック２７によって概略的に示されている。トランシーバは、例えば、無線部及び関連アンテナ構成体により設けられる。アンテナ構成体は、移動装置に対して内部又は外部に配列される。ワイヤレス通信装置には、複数入力／複数出力（ＭＩＭＯ）アンテナシステムが設けられる。
【００４０】
図６は、無線サービスエリアのステーション、例えば、図１のノード１１又は１２の一方に接続され及び／又はそれをコントロールするためのアクセスノードのコントロール装置３０の一例を示す。コントロール装置３０は、構成、情報処理及び／又は通信動作に対するコントロールを与えるように構成される。図６に基づくコントロール装置は、キャリアアグリケーション、監視及び／又は他の動作に関する情報の発生、通信、ルール解釈に関連してコントロール機能を与えるように構成される。コントロール装置３０は、少なくとも１つのメモリ３１、少なくとも１つのデータ処理ユニット３２、３３及び入力／出力インターフェイス３４を備えている。要素３３は、通信装置との通信をコントロールするために少なくとも１つのタイマーが設けられるように示されている。コントローラ３０のタイマー機能３３及び通信装置２０のタイマー機能２９は、通信装置によるコントローラスケジューリング通信を可能にする共通のアクティブ時間を確保するために同じタイマーを維持するようにされる。インターフェイスを経て、コントロール装置は、当該ノードに結合される。コントロール装置３０は、コントロール機能を与えるための適当なソフトウェアコードを実行するように構成される。
【００４１】
システム及び通信装置は、例えば、３ＧＰＰ規格の長期進化に基づいて通信装置による不連続受信（ＤＲＸ）をサポートするように構成される。ＤＲＸサイクルの一例が図２に示されている。ＤＲＸ動作において、通信装置のタイマー機能２９及びコントロール装置のタイマー機能３３は、インアクティブな期間、再送信、及び／又はアクティブな期間、等をコントロールするのに使用される。タイマーは、ユーザ装置が物理的なダウンリンクコントロールチャンネル（ＰＤＣＣＨ）を監視するためのアクティブな時間中維持される。Ｅ−ＵＴＲＡＮ時分割デュープレックス（ＴＤＤ）では、ＰＤＣＣＨサブフレーム、典型的に、ＤＬ及びダウンリンクパイロットタイムスロット（ＤｗＰＴＳ）サブフレームのみが、ＤＲＸタイマーに対してカウントされる。例えば、ＤＲＸインアクティブタイマーは、所与の通信装置に対する初期ＵＬ又はＤＬユーザデータ送信を指示するＰＤＣＣＨを首尾良くデコードした後に連続するＰＤＣＣＨサブフレームの数を指定するのに使用される。
【００４２】
図３は、ＰＣｅｌｌとＳＣｅｌｌとの間の異なるＴＤＤ構成の一例を示す。図３において、“Ｄ”は、ダウンリンクを表わし、“Ｕ”は、アップリンクを表わし、そして“Ｓ”は、ＤｗＰＴＳ、ガード期間（ＧＰ）及びアップリンクパイロットタイムスロット（ＵｐＰＴＳ）より成る３つのフィールドをもつサブフレームを表わす。キャリアアグリケーション（ＣＡ）では、共通のＤＲＸは、同じＤＲＸ構成及び動作が全てのサービングセルに適用されるように使用される。明らかなように、ＰＣｅｌｌのサブフレームは、ダウンリンクに対するものであり（サブフレームＤ）、一方、異なる構成をもつＳＣｅｌｌの対応サブフレームは、アップリンクに対するものである（サブフレームＵ）が、その逆のことも言える。サブフレーム＃３、＃４、＃８及び＃９を参照されたい。
【００４３】
このため、ネットワーク側のコントロール装置によりカウントされるのとは異なる仕方で通信装置がサブフレームをカウントできる状態が生じ得ることを本発明者が確認した。これは、エラー動作を生じる。セル特有のＵＬ／ＤＬ  ＴＤＤ構成において、共通のＤＲＸが作用することをどのように保証できるかの幾つかの例を以下に説明する。例えば、あるセルについてアップリンクに対して構成されるサブフレームを、別のセルについてダウンリンク構成が使用される間に、ＰＤＣＣＨサブフレームとしてカウントすべきかどうかの共通の理解をベースステーション及びユーザ装置に与えることを保証するメカニズムを設けることができる。
【００４４】
図７は、ネットワークアクセスポイントとの共通のタイミングを保証するためにキャリアアグリケーションを実行できる装置により使用される方法を示す。この方法によれば、５０において、異なるサービングセルに対して異なるアップリンク及びダウンリンク時分割デュープレクス構成をもつ少なくとも２つの時分割デュープレクスキャリアが受け取られる。次いで、５１において、少なくとも２つのコントロールチャンネルのサブフレームが規定のルールに基づきタイミングの目的でカウントされる。５２において、不連続受信に関連した少なくとも１つのタイマーがそのカウントに基づいて動作される。特に、既定のルールに基づき、ＤＲＸアクティブ時間中、少なくとも１つのタイマーが維持される。
【００４５】
対応的に、キャリアアグリケーションを実行できる装置による不連続通信のアクティブ時間は、タイマーの維持に基づきネットワークコントローラによりコントロールされる。異なる時分割デュープレクス構成をもつ少なくとも２つのサービングセルで装置を構成するときには、装置により使用されるものと同じ既定のルールに基づいてタイマーを維持することができる。装置での不連続通信が、リンクの各端で同様に遂行されるカウントに基づいてコントロールされるので、共通のタイミングを決定しそしてリンクの両端で使用することができる。
【００４６】
例えば、図３に鑑み、サブフレーム＃３、＃４、＃８、＃９をカウント動作においてどのように処理すべきかについてネットワークとユーザ装置との間に共通の理解を保証するメカニズムを設けることができる。ベースステーションサイト、例えば、ｅＮＢと、ユーザ装置（ＵＥ）の両方がタイミングの目的でサブフレームを同様にカウントし、従って、同じＤＲＸアクティブ時間を使用することを保証するためのより詳細な代替え手段について以下に説明する。
【００４７】
一実施形態によれば、一次セルのＵＬ／ＤＬ構成は、ＰＤＣＣＨサブフレームをカウントする基礎として使用される。図３のシナリオにおいて、これは、８つのカウント可能なサブフレーム＃０、＃１、＃３、＃４、＃５、＃６、＃８及び＃９を意味する。
【００４８】
別の実施形態によれば、ほとんどのＤＬサブフレームを有するのはどのサービングセルであるか決定され、そして選択されたサービングセルの構成がＰＤＣＣＨサブフレームのカウント動作の基礎として使用される。図３のシナリオにおいて、これは、ＳＣｅｌｌの２つに比して、６つのＤＬサブフレームを有するものとしてＰＣｅｌｌを選択することを意味し、従って、８つのカウント可能なサブフレーム＃０、＃１、＃３、＃４、＃５、＃６、＃８及び＃９が与えられる。
【００４９】
一実施形態によれば、サービングセルにおいてＤＬサブフレームを伴うサブフレームは、ＰＤＣＣＨサブフレームとしてカウントされる。図３のシナリオでは、８つのサブフレームがある（ＳＣｅｌｌによって追加される付加的なサブフレームはない。というのは、その全てのＤＬサブフレームがＰＣｅｌｌのＤＬサブフレームと一致するからである）。
【００５０】
一実施形態によれば、全てのサービングセルにおいてＤＬサブフレームを伴うサブフレームだけがＰＤＣＣＨサブフレームとしてカウントされる。図３のシナリオにおいて、これは、４つのカウント可能なサブフレーム＃０、＃１、＃５及び＃６を意味する。というのは、Ｓサブフレーム＃１及び＃６も、カウント可能なサブフレームと考えられるからである。
【００５１】
ルールによりクロスキャリアスケジューリングを考慮することができる。例えば、サービングセルにおいてＤＬサブフレームのみを伴うサブフレームが別のサービングセルによってクロススケジューリングされる場合には、そのサブフレームは、ＰＤＣＣＨサブフレームとしてカウントされない。そのようなルールは、例えば、ＰＣｅｌｌではないサービングセルにおいてＤＬサブフレームのみがあって別のセルによってクロススケジューリングされる状況に適用される。例えば、図３において一次セル（ＰＣｅｌｌ）及び二次セル（ＳＣｅｌｌ）に対する構成が交換されて、一次セルについて下位構成となる場合を考える。一次セルは、４つのカウント可能なサブフレーム（Ｄ＋Ｓフレーム＃０、＃１、＃５及び＃６）をもち、そして二次セルは、８つのカウント可能なサブフレーム（Ｄ＋Ｓサブフレーム＃０、＃１、＃３、＃４、＃５、＃６、＃８及び＃９）をもつ。このシナリオの二次セルが一次セルによりクロススケジューリングされる場合には、サブフレーム＃３、＃４、＃８、＃９が二次セルのためのＤＬサブフレームとなる。しかしながら、そのようなサブフレームには適切なＰＤＣＣＨがなく、それ故、それらのサブフレームは、ＰＤＣＣＨサブフレームとしてカウントされない。しかしながら、これは、唯一の選択肢ではなく、そのようなサブフレームをＰＤＣＣＨサブフレームとしてカウントする別のルールを設けることができる。
【００５２】
３ＧＰＰ  ＬＴＥ  ＰＤＣＣＨサブフレームを参照して述べる実施形態では、タイマー機能は、次のＤＲＸタイマーを含む。即ち、ｄｒｘ−ＩｎａｃｔｉｖｉｔｙＴｉｍｅｒ、ｄｒｘ−ＲｅｔｒａｎｓｍｉｓｓｉｏｎＴｉｍｅｒ、及びｏｎＤｕｒａｔｉｏｎＴｉｍｅｒ。３ＧＰＰ  ＴＳ  ３６．３２１の現在リリースにおけるＰＤＣＣＨサブフレームの定義は、前記実施形態の１つ以上を採用するように変更する必要がある。
【００５３】
ネットワークコントロール装置、通信装置、及び他の適当なノード又は要素の必要なデータ処理装置及び機能は、１つ以上のデータプロセッサにより与えられる。ここに述べる各端の機能は、個別のプロセッサ又は一体的なプロセッサによって与えられる。データプロセッサは、ローカル技術環境に適した任意の形式のもので、例えば、これに限定されないが、汎用コンピュータ、特殊目的コンピュータ、マイクロプロセッサ、デジタル信号プロセッサ（ＤＳＰ）、特定用途向け集積回路（ＡＳＩＣ）、ゲートレベル回路、及びマルチコアプロセッサアーキテクチャーに基づくプロセッサ、の１つ以上を含む。データ処理は、多数のデータ処理モジュールにわたって分散される。データプロセッサは、例えば、少なくとも１つのチップにより形成される。当該装置には適当なメモリ容量も設けられる。メモリ（１つ又は複数）は、ローカル技術環境に適した任意の形式のもので、半導体ベースのメモリ装置、磁気メモリ装置及びシステム、光学メモリ装置及びシステム、固定メモリ及び取り外し可能なメモリのような適当なデータ記憶技術を使用して具現化される。
【００５４】
適当なデータ処理装置にロードされるか、さもなければ、与えられたときに、例えば、カウントのための適当なフレームを決定し、タイマーを動作し、種々のノード間で情報を通信するようにさせる実施形態を具現化するための適当なコンピュータプログラムコード製品（１つ又は複数）が使用される。動作を与えるためのプログラムコード製品は、適当なキャリア媒体に記憶され、設けられ、そしてそれにより実施される。適当なコンピュータプログラムがコンピュータ読み取り可能な記録媒体において実施される。データネットワークを経てプログラムコード製品をダウンロードすることができる。一般的に、種々の実施形態は、ハードウェア又は特殊目的回路、ソフトウェア、ロジック又はその組み合わせで具現化される。従って、本発明の実施形態は、集積回路モジュールのような種々のコンポーネントで実施される。集積回路の設計は、概して、高度に自動化されたプロセスである。論理レベル設計を、半導体基板上にエッチングして成形する準備のできた半導体回路設計へと変換するための複雑で且つパワフルなソフトウェアツールが利用できる。
【００５５】
幾つかのアーキテクチャーに関連して実施形態を説明したが、キャリアアグリケーションが行われ且つタイミングの問題が生じる他の通信システムにも同様の原理を適用できることに注意されたい。例えば、これは、固定のアクセスノードが設けられておらず、例えば、アドホックネットワークにおいて複数のユーザ装置により通信システムが形成される場合にそうである。又、前記原理は、送信を中継するためにリレーノードが使用されるネットワークにも使用できる。それ故、ワイヤレスネットワーク、技術及び規格のための幾つかの例示的アーキテクチャーを参照して幾つかの実施形態を一例として上述したが、それらの実施形態は、ここに示して説明した以外の適当な形態の通信システムにも適用できる。又、異なる実施形態の異なる組み合わせも考えられることに注意されたい。又、ここでは、本発明の規範的な実施形態を上述したが、本発明の精神及び範囲から逸脱せずに、ここに開示した解決策に多数の種々の変更や修正がなされることに注意されたい。
【符号の説明】
【００５６】
１、２、３：セル
１０：システム
１２：ベースステーション
１３：コントロール装置
１４：データプロセッサ
１５：ゲートウェイ
１８：データネットワーク
２０：通信装置
２２：キーパッド
２３：データ処理エンティティ
２４：メモリ
２５：ディスプレイ
２９：タイマー機能
３０：コントロール装置
３１：メモリ
３２、３３：データ処理ユニット
３４：入力／出力インターフェイス
【図１】
0005825616.tif 000002
【図２】
0005825616.tif 000003
【図３】
0005825616.tif 000004
【図４】
0005825616.tif 000005
【図５】
0005825616.tif 000006
【図６】
0005825616.tif 000007
【図７】
0005825616.tif 000008